(57)【特許請求の範囲】
【請求項１】
マッサージを行うために押圧する押圧部（２１）を下部左右に各々設けた脚状のフレーム体（２）を複数備え、
これら複数の前記フレーム体（２）を各前記押圧部（２１）よりも上方の位置において環状の弾性部材（３１）で結束する弾性結束部（３）を設けて成り、
前記弾性結束部（３）の上方に、前記押圧部（２１）側を開く時に各前記フレーム体（２）が相互に当接する当接位置（Ｐ１〜Ｐ３）を移動しつつ支持するために外側に反った形状になるように形成した移動当接支持部（４）を各前記フレーム体（２）に各々設け、
各前記移動当接支持部（４）における前記弾性結束部（３）に近い方の相互間隔（Ｌ１）は、前記相互間隔（Ｌ１）の上方に位置する相互間隔（Ｌ２）よりも小さくなるようにして、
各前記移動当接支持部（４）における前記当接位置（Ｐ１〜Ｐ３）は、各前記押圧部（２１）側が開くにしたがって移動するようにしたものであって、
各前記押圧部（２１）側が開く時に閉じる各前記移動当接支持部（４）側を持って各前記押圧部（２１）を身体（Ｍ）に対して押し引きすることを繰り返して、
各前記フレーム体（２）の各前記押圧部（２１）側が弾性により開閉するよう構成することを特徴とするマッサージ器（１）。
【請求項２】
各前記移動当接支持部（４）の延長上に平坦形状の移動抑制部（５）を各々設け、各前記押圧部（２１）側が開いて平坦形状の各前記移動抑制部（５）が相互に合掌することで、各前記フレーム体（２）の各前記移動当接支持部（４）における相互の前記当接位置（Ｐ１〜Ｐ３）の移動を抑制することを特徴とする請求項１記載のマッサージ器（１）。
【発明の詳細な説明】
【技術分野】
【０００１】  本発明は身体のあらゆる部位をマッサージするためのマッサージ器に関する。
【背景技術】
【０００２】  従来のマッサージ器には、例えば特許文献１に記載するように、手揉みのようなマッサージを行えるものが開示されている。すなわち、二つのリンク杆（フレーム体）を中心軸においてスプリング（弾性部材）を介してクロス状に軸着し、このリンク杆の各下端に押圧部を各々設けると共に、このリンク杆の各上端に握持部材を各々設けたマッサージ器であり、この各握持部材を接近及び離間（開閉）することでこの各押圧部も接近及び離間して動き、手揉みのようなマッサージが行えるようにしている。
【先行技術文献】
【特許文献】
【０００３】
【特許文献１】特開２００１−２７６１５６公報（第４頁明細書段落番号［００２１］、図８）
【発明の概要】
【発明が解決しようとする課題】
【０００４】  ところで、従来のこのようなマッサージ器は各フレーム体が軸着されているため、二次元方向にのみ各フレーム体が開閉する構造となっている。そのため、より多くの押圧部を設けてより効果的なマッサージを行うべく、押圧部をこの二次元方向以外の方向、例えばこれと直交する方向に複数設ける場合、身体における三次元の複雑な表面形状に対応してすべての押圧部が常に当接することができず、一部の押圧部が浮いてしまってマッサージの効果は減少するという問題があった。加えて、各フレーム体の軸着構造は部品点数や組立コストなどを増加させることにもつながる。【０００５】  また、各押圧部が開くと各握持部材も開くことになるため、片手では持ちにくくなるという問題もあった。【０００６】  そこで、本発明は、上記問題点を解消する為に成されたものであり、持ち易く且つ身体における三次元の複雑な表面形状に押圧部が常に当接して、より効果的な揉みマッサージが行えるマッサージ器を提供することを目的とするものである。
【課題を解決するための手段】
【０００７】  すなわち、本発明のマッサージ器は、マッサージを行うために押圧する押圧部を下部左右に各々設けた脚状のフレーム体を複数備え、これら複数の前記フレーム体を各前記押圧部よりも上方の位置において環状の弾性部材で結束する弾性結束部を設けて成り、前記弾性結束部の上方に、前記押圧部側を開く時に各前記フレーム体が相互に当接する当接位置を移動しつつ支持するために外側に反った形状になるように形成した移動当接支持部を各前記フレーム体に各々設け、各前記移動当接支持部における前記弾性結束部に近い方の相互間隔は、前記相互間隔の上方に位置する相互間隔よりも小さくなるようにして、各前記移動当接支持部における前記当接位置は、各前記押圧部側が開くにしたがって移動するようにしたものであって、各前記押圧部側が開く時に閉じる各前記移動当接支持部側を持って各前記押圧部を身体に対して押し引きすることを繰り返して、各前記フレーム体の各前記押圧部側が弾性により開閉するよう構成するものである。【０００９】  さらに、本発明のマッサージ器として、各前記移動当接支持部の延長上に平坦形状の移動抑制部を各々設け、各前記押圧部側が開いて平坦形状の各前記移動抑制部が相互に合掌することで、各前記フレーム体の各前記移動当接支持部における相互の前記当接位置の移動を抑制することができる。
【発明の効果】
【００１０】  よって本発明のマッサージ器は、前記押圧部を下部左右に各々設けた脚状である複数の前記フレーム体を各前記押圧部よりも上方の位置において前記弾性結束部で結束したその上方に、前記押圧部側を開く時に各前記フレーム体が相互に当接する前記当接位置を移動しつつ支持するために外側に反った形状になるように形成した前記移動当接支持部を各前記フレーム体に各々設け、各前記移動当接支持部における前記弾性結束部に近い方の前記相互間隔は、上方よりも小さくなるようにして、各前記移動当接支持部における前記当接位置は、各前記押圧部側が開くにしたがって移動するようにしたものであって、各前記押圧部側が開く時に閉じる各前記移動当接支持部側を持って各前記押圧部を前記身体に対して押し引きすることを繰り返して、各前記フレーム体の各前記押圧部側が弾性により開閉するよう構成する為、従来のように各フレーム体を軸着する必要がなく簡素な構造となり、部品数を減らし組立易くしてコスト低減を図ることができるし、各前記フレーム体は前記押圧部側の開閉方向（二次元方向）に限らず、三次元のあらゆる方向に柔軟に動けるので、身体の複雑な三次元の表面形状に各前記押圧部のすべてが当接して効果的なマッサージが可能となる。【００１１】  また、身体に各前記押圧部を押しつける際、身体を掴む力が加速的に強くなり、次いで押しつける力を引くと身体を掴む力が加速的に弱くなる。このような押し引きを繰り返して抑揚のある掴み揉みマッサージが実現できる。【００１２】  さらに、前記押圧部側が開く時、前記移動当接支持部側は閉じることになるので、持ち易く、安定したマッサージが行える。【００１４】  さらに、本発明のマッサージ器として、各前記移動当接支持部の延長上に平坦形状の前記移動抑制部を各々設け、各前記押圧部側が開いて平坦形状の各前記移動抑制部が相互に合掌することで、各前記フレーム体の各前記移動当接支持部における相互の前記当接位置の移動を抑制するなら、前記押圧部側が開き過ぎて、前記弾性結束部から前記フレーム体が外れて分解してしまうことのないようにすることができる。
【図面の簡単な説明】
【００１５】
【図１】本発明の一実施形態のマッサージ器を示す正面図である。
【図２】本発明の一実施形態のマッサージ器を示す側面図である。
【図３】本発明の一実施形態のマッサージ器におけるフレーム体の押圧部側が開く様子を示す側面視説明図である。
【図４】本発明の一実施形態のマッサージ器における分解構成を示す斜視図である。
【図５】本発明の一実施形態のマッサージ器を示す斜視図である。
【図６】本発明の一実施形態のマッサージ器におけるフレーム体の押圧部側が開いた状態を示す平面図である。
【図７】本発明の一実施形態のマッサージ器を示す斜視図である。
【図８】本発明の一実施形態のマッサージ器を使用する状態を示す説明図である。
【発明を実施するための形態】
【００１６】  以下に、本発明のマッサージ器を、図面に示す一実施形態に基づきこれを詳細に説明する。
【００１７】    すなわち、図１から図８の実施形態で示したように、本発明のマッサージ器１は、身体Ｍのあらゆる部位に対するマッサージを行うために押圧する押圧部２１を設けたフレーム体２を複数備えたものである。図１から図３は前記フレーム体２を２個備えたものを、また図４から図８は前記フレーム体２を４個備えたものを示している。尚、この前記フレーム体２の個数について、複数備えたものであればどんな個数でもよい。前記フレーム体２を２個備えたものも、または４個備えたものも構成については同じ原理であるので以下にまとめて説明する。
【００１８】  前記フレーム体２は、図２に示すように前記押圧部２１を下部左右に１つずつ設けて脚状の形態をしている。前記押圧部２１は、前記身体Ｍを押圧または指圧してマッサージを行うのに適度な大きさで形成している。前記フレーム体２において前記押圧部２１を一体的に形成しているが、別部品として前記押圧部２１を前記フレーム体２に取り付ける構造であってもよく、この場合、前記フレーム体２よりも前記押圧部２１を軟質にしたり、または逆に硬質にしたりすることで、様々な感覚のマッサージ感をもたらすようにすることができる。また、前記押圧部２１にローラーを設けてローリングマッサージを行うようにしてもよい。尚、前記フレーム体２は、硬質または軟質の樹脂或いは金属、木材その他、形成できる材質であればどんな種類であっても採用できる。
【００１９】  図１から図８に示すように、複数の前記フレーム体２を各前記押圧部２１よりも上方の位置において環状の弾性部材３１で結束して付勢しながら前記押圧部２１側を弾性により開閉するための弾性結束部３を設けて成る。すなわち、図１から図４で示すように前記弾性結束部３は、前記フレーム体２の凹部２２に入り込んで全ての前記フレーム体２を結束するようにしているため、図３に示すように前記押圧部２１側が付勢しながら開閉して前記身体Ｍを掴み揉みマッサージするよう構成している。また、図２及び図６に示すように各前記フレーム体２は、図３に示す前記フレーム体２の開閉方向とは異なるあらゆる方向においても相互に柔軟に動くことができるため、前記身体Ｍの複雑な形状にも各前記押圧部２１のすべてが当接して効果的なマッサージが可能となる。
【００２０】  図１に示すように、前記押圧部２１側が閉じた状態において各前記フレーム体２の相互における各前記押圧部２１の間に一定の間隔を設けているため、図３に示すようにマッサージ器１を前記身体Ｍに押しつけると前記押圧部２１側が開いて前記弾性部材３１の付勢力を増しつつ、前記身体Ｍを掴むようになる。
【００２１】  前記弾性部材３１は、ゴムやシリコーン、または軟質樹脂や金属など、弾性のある材質であればどんな種類であってもよい。また前記弾性部材３１の形状は環状の他、Ｃ型のものでもよい。
【００２２】  図１、図３から図５に示すように、結束した各前記フレーム体２における、前記弾性結束部３を基とした前記押圧部２１とは反対側において、前記押圧部２１側を開く時に各前記フレーム体２が相互に当接する当接位置を移動しつつ支持する移動当接支持部４を各前記フレーム体２に各々設けている。
【００２３】  すなわち、図１に示すように各前記移動当接支持部４は、前記弾性結束部３の上方に位置すると共に、外側に反った形状になるように形成し、前記弾性結束部３に近い方の相互間隔Ｌ１は、前記相互間隔Ｌ１の上方に位置する相互間隔Ｌ２よりも小さくなっている。これにより、図３に示すように、各前記押圧部２１側が開く時、各移動当接支持部４側は閉じることになり、前述したように持ち易く、安定したマッサージが行える。尚、各前記移動当接支持部４は図４及び図５に示すように、外側に反った湾曲形状または湾曲面形状であってもよい。
【００２４】  図１に示すように、前記押圧部２１側が閉じた状態の場合、前記移動当接支持部４における前記当接位置は当接位置Ｐ１となり、前記押圧部２１側が開くにしたがって、当接位置Ｐ２、そして当接位置Ｐ３へと前記当接位置が移動するよう、前記押圧部２１側が閉じた状態において前記弾性結束部３に近いほど各前記移動当接支持部４の相互間隔を小さくして構成している。
【００２５】  仮に、前記当接位置Ｐ１に回動軸を設けて各前記フレーム体２の前記押圧部２１側を開閉する構成にした場合と、前記当接位置Ｐ３に回動軸を設けて構成した場合とでは、後者の方が前記弾性部材３１の付勢力が大きくなる。この事実からして分かるように、前記当接位置Ｐ１から前記当接位置Ｐ３へ前記当接位置が移動する際は、加速的に前記弾性部材３１の付勢力が大きくなり、逆に前記当接位置Ｐ３から前記当接位置Ｐ１へ前記当接位置が移動する際は、加速的に前記弾性部材３１の付勢力が小さくなる。よって、前記身体Ｍに前記押圧部２１側を押しつける時、加速的に掴む力が強くなり、逆に押しつける力を引くと加速的に掴む力が弱くなるので、このような押し引きを繰り返すと抑揚のある掴み揉みマッサージが実現できるのである。
【００２６】  図７に示すように、前記弾性結束部３は前記移動当接支持部４を覆うように構成してもよい。これにより、使用者が持ち易くなり、且つ各前記フレーム体２が前記弾性結束部３の付勢力を超えてねじれたりするのを防ぐことができ、安定したマッサージを行うのに寄与する。
【００２７】  図１及び図３、図４から図６に示すように、各前記移動当接支持部４に各前記フレーム体２の相互の前記当接位置の移動を抑制する移動抑制部５を各々設けてもよい。すなわち、各前記移動当接支持部４の各々延長上に平坦形状の前記移動抑制部５を各々形成しているため、図３及び図６に示すように各前記移動抑制部５が相互に合掌するまで各前記押圧部２１側が開くと、それ以上開きすぎて前記弾性結束部３から前記フレーム体２が外れて分解してしまうことのないようにしている。尚、前記移動抑制部５は平坦形状にすることに限らず、各前記フレーム体２の相互の前記当接位置の移動を抑制することができればどんな方法であってもよい。
【００２８】  図４から図８は、前記フレーム体２を４個で構成したものを示しているが、前記フレーム体２が２個の場合よりも前記押圧部２１の数が増えて、より広範囲のマッサージが可能となり、しかも、図６に示すように、四方に各前記押圧部２１が各々開くことになると共に、各前記フレーム体２は前記弾性部材３１で結束されているため相互に柔軟に動くことができる。そのため、前記身体Ｍの複雑な形状にも各前記押圧部２１のすべてが当接して効果的なマッサージが可能となる。図８に示すように、特に複雑な表面形状を有する球体である前記身体Ｍの頭部に各前記押圧部２１のすべてが確実にフィットするので、頭皮マッサージに適している。
【符号の説明】
【００２９】    １  マッサージ器
２  フレーム体
２１  押圧部
２２  凹部
３  弾性結束部
３１  弾性部材
４  移動当接支持部
５  移動抑制部
Ｌ１  相互間隔
Ｌ２  相互間隔
Ｍ  身体
Ｐ１  当接位置
Ｐ２  当接位置
Ｐ３  当接位置
【図１】
0005779797.tif 000002
【図２】
0005779797.tif 000003
【図３】
0005779797.tif 000004
【図４】
0005779797.tif 000005
【図５】
0005779797.tif 000006
【図６】
0005779797.tif 000007
【図７】
0005779797.tif 000008
【図８】
0005779797.tif 000009